(57)【特許請求の範囲】
【請求項１】
メニュー又はアイコンを表示する表示部と、
前記表示部上の前記メニュー又はアイコンを、前記表示部の右下又は左下の一部の表示領域に円弧状に配列して表示させる表示制御部と、
前記表示されたメニュー又はアイコンに対する入力操作を検出するタッチパネルと、
前記検出された入力操作に応じて、前記表示されたメニュー又はアイコンの選択を制御する制御部と、を備え、
前記表示制御部は、前記円弧状に配列して表示されたメニュー又はアイコンのうち第１階層のメニュー又はアイコンのいずれかの選択に応じて、前記第１階層のメニュー又はアイコンを縮小して前記円弧状の配列の内側に表示させ、前記第１階層の下位の第２階層のメニュー又はアイコンを、前記縮小された第１階層のメニュー又はアイコンの円弧状の配列の外側に表示させ、前記表示されたメニュー又はアイコンの円弧状の配列に対する中心付近のタップ操作に応じて、当該表示されたメニュー又はアイコンのうち少なくとも第１階層のメニュー又はアイコンを、前記表示部の一部の表示領域に円弧状に配列して表示させる携帯端末装置。
【請求項２】
請求項１に記載の携帯端末装置であって、
前記表示制御部は、前記円弧状に配列して表示されたメニュー又はアイコンに沿った方向のスライド操作に応じて、当該メニュー又はアイコンを回転スクロールする携帯端末装置。
【請求項３】
請求項１に記載の携帯端末装置であって、
前記表示制御部は、前記表示されたメニュー又はアイコンの円弧状の配列の外側における左方向或いは右方向のスライド操作に応じて、前記表示部に表示されたメニュー又はアイコンの表示形態を、前記円弧状の配列から所定のマトリックス状の配列に切り替える携帯端末装置。
【請求項４】
請求項３に記載の携帯端末装置であって、
前記表示制御部は、前記所定のマトリックス状に配列して表示されたメニュー又はアイコンの配列に対する左方向或いは右方向のスライド操作に応じて、前記表示部に表示されたメニュー又はアイコンの表示形態を、当該所定のマトリックス状の配列から前記円弧状の配列に切り替える携帯端末装置。
【請求項５】
請求項４に記載の携帯端末装置であって、
前記表示制御部は、前記所定のマトリックス状に配列して表示されたメニュー又はアイコンの配列に対する左方向或いは右方向のスライド操作に応じて、前記表示部に表示されたメニュー又はアイコンの表示形態を、当該所定のマトリックス状の配列から他のマトリックス状の配列に切り替える携帯端末装置。
【請求項６】
請求項１に記載の携帯端末装置であって、
前記表示制御部は、複数のインジケータを前記表示部に表示し、当該複数のインジケータのうちいずれかのインジケータの選択に応じて、前記表示部に表示されたメニュー又はアイコンの表示形態を、当該選択されたインジケータに対応する表示形態に切り替える携帯端末装置。
【請求項７】
請求項１に記載の携帯端末装置であって、
前記表示制御部は、前記メニュー又はアイコンの回転スクロールに応じて、前記表示部に円弧状に配列して表示されたメニュー又はアイコンの回転スクロールの状況を示すスクロールサークルを表示する携帯端末装置。
【請求項８】
請求項１に記載の携帯端末装置であって、
前記制御部は、前記第２階層のメニュー又はアイコンが円弧状に配列して表示されている間、当該第２階層のメニュー又はアイコンの円弧状の配列の内側に表示されている第１階層のメニュー又はアイコンに対する選択を禁止する携帯端末装置。
【請求項９】
請求項８に記載の携帯端末装置であって、
前記表示制御部は、前記選択が禁止されている第１階層のメニュー又はアイコンに沿った方向のスライド操作に応じて、当該第１階層のメニュー又はアイコンを回転スクロールする携帯端末装置。
【請求項１０】
携帯端末装置の表示部上のメニュー又はアイコンの表示を制御するステップと、
前記表示されたメニュー又はアイコンに対する入力操作を検出するステップと、
前記検出された入力操作に応じて、前記表示されたメニュー又はアイコンの選択を制御するステップと、を備え、
前記表示を制御するステップは、
前記メニュー又はアイコンを、前記表示部の右下又は左下の一部の表示領域に円弧状に配列して表示させるステップと、
前記円弧状に配列して表示されたメニュー又はアイコンのうち第１階層のメニュー又はアイコンのいずれかの選択に応じて、前記第１階層のメニュー又はアイコンを縮小して前記円弧状の配列の内側に表示させるステップと、
前記第１階層の下位の第２階層のメニュー又はアイコンを、前記縮小された第１階層のメニュー又はアイコンの円弧状の配列の外側に表示させるステップと、
前記表示されたメニュー又はアイコンの円弧状の配列に対する中心付近のタップ操作に応じて、当該表示されたメニュー又はアイコンのうち少なくとも第１階層のメニュー又はアイコンを、前記表示部の一部の表示領域に円弧状に配列して表示させるステップと、を有する表示制御方法。
【請求項１１】
携帯端末装置に、
当該携帯端末装置の表示部上のメニュー又はアイコンの表示を制御するステップと、
前記表示されたメニュー又はアイコンに対する入力操作を検出するステップと、
前記検出された入力操作に応じて、前記表示されたメニュー又はアイコンの選択を制御するステップと、を実行させるための表示制御プログラムであって、
前記表示を制御するステップは、
前記メニュー又はアイコンを、前記表示部の右下又は左下の一部の表示領域に円弧状に配列して表示させるステップと、
前記円弧状に配列して表示されたメニュー又はアイコンのうち第１階層のメニュー又はアイコンのいずれかの選択に応じて、前記第１階層のメニュー又はアイコンを縮小して前記円弧状の配列の内側に表示させるステップと、
前記第１階層の下位の第２階層のメニュー又はアイコンを、前記縮小された第１階層のメニュー又はアイコンの円弧状の配列の外側に表示させるステップと、
前記表示されたメニュー又はアイコンの円弧状の配列に対する中心付近のタップ操作に応じて、当該表示されたメニュー又はアイコンのうち少なくとも第１階層のメニュー又はアイコンを、前記表示部の一部の表示領域に円弧状に配列して表示させるステップと、を有する表示制御プログラム。
【発明の詳細な説明】
【技術分野】
【０００１】
本発明は、タッチパネルを介した入力操作が可能な携帯端末装置、表示制御方法、及び表示制御プログラムに関する。
【背景技術】
【０００２】
近年、携帯電話機、スマートフォン又はデジタルスチルカメラ等の電子機器のディスプレイにはタッチパネルが設けられているものが数多く存在し、当該電子機器に対するユーザの入力操作時における操作性が以前に比べて増している。この様な電子機器に対するユーザの入力操作時における操作性を向上させるものとして、例えば特許文献１及び特許文献２が知られている。
【０００３】
特許文献１のユーザインターフェース装置は、表示画面と、当該表示画面の左外側に配された左側タッチストリップと、当該表示画面の右外側に配された右側タッチストリップとを備える。各タッチストリップは、いずれもユーザの上下方向へのスライド動作と左右方向へのスライド動作とを区別して検知する。このユーザインターフェース装置は、上下方向のスライドが検知された場合、項目の選択位置移動や画面のスクロール等、スライド量が重視される操作指示として受け付ける。また、このユーザインターフェース装置は、左右方向のスライドが検知された場合、ファイルの削除指示や新規階層項目の表示又は非表示等の様にスライド量が重視されないトリガー的な意味合いの操作指示として受け付ける。
【０００４】
これにより、特許文献１のユーザインターフェース装置は、簡単に操作でき、且つ、携帯型電子機器の小型化を可能とすることができる。
【０００５】
特許文献２の携帯端末は、データの表示及び入力を行うタッチスクリーンを備え、当該タッチスクリーンを介して斜線が入力されたとき、この斜線の入力経路を検出する。この携帯端末は、当該入力経路に基づいてユーザの持ち手を設定し、当該設定された持ち手に基づいて表示方法を決定して表示する。
【０００６】
これにより、特許文献２の携帯端末は、ユーザの持ち手に合ったユーザインターフェースを提供することができ、更に、新たにセンサを追加せずにユーザの操作性を向上させることができる。
【先行技術文献】
【特許文献】
【０００７】
【特許文献１】特開２００８−２０４４０２号公報
【特許文献２】特開２００９−２９４７２５号公報
【発明の概要】
【発明が解決しようとする課題】
【０００８】
しかしながら、上述した特許文献１では、ユーザが当該ユーザインターフェース装置を両手で持った状態で操作することが想定されていると考えられる。具体的には、特許文献１のユーザインターフェース装置には、表示画面の左右に左外側タッチストリップ及び右外側タッチストリップが設けられている。これらの左外側タッチストリップ及び右外側タッチストリップを操作する場合を想定すると、特許文献１のユーザインターフェース装置は、ユーザがこの表示画面と、タッチストリップの左外側及び右外側とを手で持った状態で操作することが想定されていると考えられる。また、仮に、特許文献１のユーザインターフェース装置の表示画面と、タッチストリップの左外側又は左外側とを片手で持った状態で操作した場合には、ユーザインターフェース装置の下側が支えられていない状態になりやすく、その結果、当該表示画面が斜めに傾いたり、下に落としたりしないよう注意しながら操作する必要が生じる結果、操作がしにくくなってしまう。
【０００９】
また、上述した特許文献２では、階層構造を有するポップアップメニューの表示の一例として、子メニューは持ち手が設定されたユーザの指で届く位置に、親メニューは子メニューよりも遠くのユーザの指で隠れない位置にそれぞれ表示されることが記載されている。
【００１０】
しかしながら、特許文献２には、当該子メニュー及び親メニューを除く他のメニュー又はアイコンが、ユーザが片手操作を可能とする範囲に、当該携帯端末の表示画面にどの様に表示されるかということは具体的に記載されていない。このため、例えば現在表示されている当該子メニューと、当該親メニューの下位の階層に属する他の子メニューとの関連性が直接的に示されず、ユーザが所望のメニューを選択する際の操作性が良くない場合がある。
【００１１】
従って、特許文献２の携帯端末では、上位又は下位の階層構造を有する各メニュー又は当該各メニューを操作可能とする各アイコンを、ユーザが片手で簡単に操作することを可能な程度に表示することが困難な場合がある。
【００１２】
本発明は、上述した従来の事情に鑑みてなされたもので、上位又は下位の階層構造を有する複数のメニュー又は当該各メニューを操作可能とするアイコンを、ユーザが片手でも簡単に操作可能とする様に表示する携帯端末装置、表示制御方法、及び表示制御プログラムを提供することを目的とする。
【課題を解決するための手段】
【００１３】
本発明は、上述した携帯端末装置であって、メニュー又はアイコンを表示する表示部と、前記表示部上の前記メニュー又はアイコンを、前記表示部の右下又は左下の一部の表示領域に円弧状に配列して表示させる表示制御部と、前記表示されたメニュー又はアイコンに対する入力操作を検出するタッチパネルと、前記検出された入力操作に応じて、前記表示されたメニュー又はアイコンの選択を制御する制御部とを備え、前記表示制御部は、前記円弧状に配列して表示されたメニュー又はアイコンのうち第１階層のメニュー又はアイコンのいずれかの選択に応じて、前記第１階層のメニュー又はアイコンを縮小して前記円弧状の配列の内側に表示させ、前記第１階層の下位の第２階層のメニュー又はアイコンを、前記縮小された第１階層のメニュー又はアイコンの円弧状の配列の外側に表示させ、前記表示されたメニュー又はアイコンの円弧状の配列に対する中心付近のタップ操作に応じて、当該表示されたメニュー又はアイコンのうち少なくとも第１階層のメニュー又はアイコンを、前記表示部の一部の表示領域に円弧状に配列して表示させる。
【００１４】
また、本発明は、上述した表示制御方法であって、携帯端末装置の表示部上のメニュー又はアイコンの表示を制御するステップと、前記表示されたメニュー又はアイコンに対する入力操作を検出するステップと、前記検出された入力操作に応じて、前記表示されたメニュー又はアイコンの選択を制御するステップと、を備え、前記表示を制御するステップは、前記メニュー又はアイコンを、前記表示部の右下又は左下の一部の表示領域に円弧状に配列して表示させるステップと、前記円弧状に配列して表示されたメニュー又はアイコンのうち第１階層のメニュー又はアイコンのいずれかの選択に応じて、前記第１階層のメニュー又はアイコンを縮小して前記円弧状の配列の内側に表示させるステップと、前記第１階層の下位の第２階層のメニュー又はアイコンを、前記縮小された第１階層のメニュー又はアイコンの円弧状の配列の外側に表示させるステップと、前記表示されたメニュー又はアイコンの円弧状の配列に対する中心付近のタップ操作に応じて、当該表示されたメニュー又はアイコンのうち少なくとも第１階層のメニュー又はアイコンを、前記表示部の一部の表示領域に円弧状に配列して表示させるステップと、を有する。
【００１５】
また、本発明は、上述した表示制御方法であって、携帯端末装置の表示部上のメニュー又はアイコンの表示を制御するステップと、前記表示されたメニュー又はアイコンに対する入力操作を検出するステップと、前記検出された入力操作に応じて、前記表示されたメニュー又はアイコンの選択を制御するステップと、を備え、前記表示を制御するステップは、前記メニュー又はアイコンを、前記表示部の右下又は左下の一部の表示領域に円弧状に配列して表示させるステップと、前記円弧状に配列して表示されたメニュー又はアイコンのうち第１階層のメニュー又はアイコンのいずれかの選択に応じて、前記第１階層のメニュー又はアイコンを縮小して前記円弧状の配列の内側に表示させるステップと、前記第１階層の下位の第２階層のメニュー又はアイコンを、前記縮小された第１階層のメニュー又はアイコンの円弧状の配列の外側に表示させるステップと、前記表示されたメニュー又はアイコンの円弧状の配列に対する中心付近のタップ操作に応じて、当該表示されたメニュー又はアイコンのうち少なくとも第１階層のメニュー又はアイコンを、前記表示部の一部の表示領域に円弧状に配列して表示させるステップと、を有する。
【００１６】
上述した構成によれば、上位又は下位の階層構造を有する複数のメニュー又は当該各メニューを操作可能とするアイコンを、ユーザが片手でも簡単に操作可能とする様に表示することができる。
【発明の効果】
【００１７】
本発明に係る携帯端末装置、表示制御方法、及び表示制御プログラムによれば、上位又は下位の階層構造を有する複数のメニュー又は当該各メニューを操作可能とするアイコンを、ユーザが片手でも簡単に操作可能とする様に表示することができる。
【図面の簡単な説明】
【００１８】
【図１】第１の実施形態の携帯電話機のハードウェア構成の一例を示すブロック図
【図２】各メニューの階層関係を模式的に示した説明図
【図３】メニュー階層情報をテーブル形式で示した説明図
【図４】各階層に属する各メニューに対応する各アイコンが表示される表示領域、及び、第１階層に属する各メニューに対応する各アイコンが円弧状に配列して表示された状況の一例を示す説明図、（ａ）各階層に属する各メニューに対応する各アイコンが表示される表示領域と、所定の中心領域とをそれぞれ示す説明図、（ｂ）第１階層に属する各メニューに対応する各アイコンが円弧状に配列して表示された状況の一例を示す説明図
【図５】第１階層に属する各メニューに対応する各アイコンの回転スクロールの状況を示す説明図、（ａ）回転スクロール前の状況を示す説明図、（ｂ）当該各アイコンを円弧状の配列に沿って右方向に回転スクロールした状況を示す説明図、（ｃ）当該各アイコンを円弧状の配列に沿って左方向に回転スクロールした状況を示す説明図
【図６】第１階層及び第２階層に属する各メニューに対応する各アイコンを選択した場合の表示内容を示す説明図、（ａ）第１階層に属する各メニューに対応する各アイコンが選択可能に表示された状況を示す説明図、（ｂ）第２階層に属する各メニューに対応する各アイコンが選択可能に表示された状況を示す説明図、（ｃ）第３階層に属する各メニューに対応する各アイコンが選択可能に表示された状況を示す説明図
【図７】第３階層に属する各メニューに対応する各アイコンが選択可能に円弧状に配列して表示されている場合における第１階層及び第２階層に属する各メニューに対応する各アイコンの操作に関する説明図
【図８】第１の実施形態の携帯電話機の動作を説明するフローチャート
【図９】第１の実施形態の変形例１における各階層に属する各メニューに対応する各アイコンが表示される表示領域、及び、第１階層に属する各メニューに対応する各アイコンが円弧状に配列して表示された状況の一例を示す説明図、（ａ）各階層に属する各メニューに対応する各アイコンが表示される表示領域と、所定の中心領域とをそれぞれ示す説明図、（ｂ）第１階層に属する各メニューに対応する各アイコンが円弧状に配列して表示された状況の一例を示す説明図
【図１０】第１の実施形態の変形例２の携帯電話機の表示部における第１階層に属する各メニューに対応する各アイコンの回転スクロール時の動作を模式的に説明する説明図、（ａ）回転スクロール前の第１階層に属する各メニューに対応する各アイコンが表示されている状況を示す説明図、（ｂ）回転スクロール直後の各アイコンが表示されている状況を示す説明図、（ｃ）各アイコンの回転スクロール時に表示されるスクロールサークルの概念を模式的に示す説明図
【図１１】第２の実施形態の携帯電話機のハードウェア構成の一例を示すブロック図
【図１２】第２の実施形態の携帯電話機における第１階層に属する各メニューに対応する各アイコンの表示形態の一例を示す説明図、（ａ）インジケータ１に対応する表示形態の説明図、（ｂ）インジケータ２に対応する表示形態の説明図、（ｃ）インジケータ３に対応する表示形態の説明図、（ｄ）インジケータ４に対応する表示形態の説明図
【図１３】第２の実施形態の携帯電話機の動作を説明するフローチャート
【発明を実施するための形態】
【００１９】
以下、本発明に係る携帯端末装置の各実施形態について、図面を参照して説明する。以下の各実施形態においては、本発明に係る携帯端末装置として、携帯電話機を例示して説明する。但し、本発明に係る携帯端末装置は、携帯電話機に限定されず、例えばスマートフォン、ＰＤＡ（Personal Digital Assistant）、又は電子書籍端末等でも良い。
【００２０】
なお、本発明は、携帯電話機の様な装置、又は当該装置をコンピュータとして動作させるためのプログラムとして表現することが可能であり、更に、当該携帯電話機により実行される処理（ステップ）を含む方法として表現することも可能である。即ち、本発明は、装置、方法及びプログラムのうちいずれのカテゴリーでも表現可能である。
【００２１】
以下の各実施形態において、当該携帯電話機に対する入力操作には、ユーザの指のタッチパネルへのタッチ操作、スライド操作及びタップ操作等を含むものとする。なお、タップ操作には、当該タップ操作を短時間の間に２回連続して行われるダブルタップ操作も含まれる。
【００２２】
また、以下の各実施形態において、コンピュータである携帯電話機１００にインストールされているＯＳ（Operating System）又はアプリケーションにおいて使用可能な機能を「メニュー」と定義する。
【００２３】
更に、以下の各実施形態において、メニューに対応するデータ若しくは機能を用いるプログラムを、絵若しくは絵文字として画面上に表示し、当該データ又は当該機能を用いるプログラムを実行するものを「アイコン」と定義する。
【００２４】
〔第１の実施形態〕
第１の実施形態の携帯電話機１００は、当該携帯電話機１００で使用可能な各メニューに対応する各アイコンを、表示部において予め定められた所定の表示領域に表示する。更に、当該携帯電話機１００は、上述したいずれかの入力操作に応じて当該各アイコンの選択又は実行を可能とするために、当該所定の表示領域において当該各アイコンを円弧状に配列して表示する。
【００２５】
なお、当該携帯電話機１００は、当該携帯電話機１００で使用可能な各メニューをそれぞれ直接的に示すメニューボタン等のメニューを、表示部において予め定められた所定の表示領域に表示しても良い。この場合、当該携帯電話機１００は、上述したいずれかの入力操作に応じて当該各メニューの選択又は実行を可能とするために、当該所定の表示領域において当該各メニューを円弧状に配列して表示する。
【００２６】
１．第１の実施形態の携帯電話機の構成に関する説明
図１は、第１の実施形態の携帯電話機１００のハードウェア構成の一例を示すブロック図である。図１に示す様に、携帯電話機１００は、制御部１０１、電源ボタン１０２、電源回路部１０３、入力制御部１０４、タッチパネル１０５、通信部１０６、記憶部１０７、表示制御部１０８、及び表示部１０９を備える。
【００２７】
制御部１０１は、携帯電話機１００に内蔵されるＣＰＵ（Central Processing Unit）、ＤＳＰ（Digital Signal Processor）、ＲＡＭ（Random Access Memory）及びＲＯＭ（Read Only Memory）等で構成され、携帯電話機１００の各部の動作を制御する。また、制御部１０１は、入力制御部１０４で検出された入力操作に応じて、表示部１０９に表示されたメニュー又はアイコンの選択を制御する。なお、制御部１０１の動作の詳細に関しては後述する。
【００２８】
電源ボタン１０２は、ユーザが当該電源ボタン１０２を所定時間の間に継続的に押下した場合に、携帯電話機１００の電源のＯＮ状態又はＯＦＦ状態を切り替えるための電源制御信号を電源回路部１０３に出力する。
【００２９】
電源回路部１０３は、電源ボタン１０２により出力された電源制御信号を入力する。電源回路部１０３は、電源がＯＮ状態となる場合には、当該入力された電源制御信号に応じて、携帯電話機１００に内蔵されている電力供給源又は外部に接続されている電力供給源から各部に電力を供給して携帯電話機１００を動作可能にする。
【００３０】
また、電源回路部１０３は、電源がＯＦＦ状態となる場合には、当該入力された電源制御信号に応じて、携帯電話機１００に内蔵されている電源供給源又は外部に接続されている電源供給源から各部への電力の供給を停止して携帯電話機１００を動作不能にする。
【００３１】
入力制御部１０４は、タッチパネル１０５に対する入力操作を検出する。入力制御部１０４は、当該タッチパネル１０５に対する入力操作として例えばタッチ操作が行われた場合に、当該タッチ操作によって当該タッチパネル１０５にかかる圧力を検出し、当該検出された位置（座標）を示す信号を生成して制御部１０１に出力する。
【００３２】
タッチパネル１０５は、後述する表示部１０９の上面に配置され、文字、画像、映像或いはその組合せ等からなる画面に対して、ユーザの指又はスタイラスペンの入力操作が行われるためのディスプレイである。タッチパネル１０５は、表示部１０９の上に、例えば当該入力操作を検出するための素子が複数配置され、更に当該素子の上に透明なスクリーンが積層されることで形成可能である。
【００３３】
また、タッチパネル１０５に対する入力操作の検出には、例えば、抵抗膜方式、又は静電気による電気信号を検出する静電容量結合式が採用可能であり、更には、抵抗膜方式、赤外線を用いた光学式等が採用されても良い。
【００３４】
通信部１０６は、アンテナ１０６ａを介して不図示の基地局と通信し、当該アンテナ１０６ａを介して受信した受信信号を復調して制御部１０１に出力する。この復調されたデータは、制御部１０１により、表示制御部１０８を介して表示部１０９に表示され、又は記憶部１０７に記憶される。
【００３５】
また、通信部１０６は、タッチパネル１０５を介して入力されたデータ又は記憶部１０７に記憶されたデータを取得した場合、アンテナ１０６ａを介して、当該データを基地局に送信する。
【００３６】
なお、携帯電話機１００は、スピーカ等の音声出力部及び当該音声出力部を制御するための音声出力制御部を更に有することが好ましい。この場合、通信部１０６により復調されたデータは、制御部１０１により、当該音声出力制御部を介して音声出力部から出力される。
【００３７】
なお、携帯電話機１００は、マイクロフォンの音声入力部及び当該音声入力部を制御するための音声入力制御部を更に有することが好ましい。この場合、当該音声入力部を介して入力された音声信号は、通信部１０６により、変調されて、アンテナ１０６ａを介して基地局に送信される。更に、携帯電話機１００が上述した音声出力部、音声出力制御部、音声入力部、及び音声入力制御部を有する場合についても同様である。
【００３８】
記憶部１０７は、データの読み書きが自由な記憶装置であり、制御部１０１又は表示制御部１０８により実行される各プログラム、及び当該各プログラムで利用される種々のデータを記憶する。記憶部１０７は、制御部１０１及び表示制御部１０８の各動作が予め規定された各プログラムをそれぞれ記憶している。
【００３９】
また、記憶部１０７は、メニュー階層情報ＭＨ（図３参照）を記憶している。以下の各実施形態において、携帯電話機１００で実行可能な各メニューは、図２に示す様に、それぞれ上位又は下位の階層構造（階層）を有する様に予め規定されている。このメニューの階層について図２及び図３を参照して説明する。図２は、メニューの階層関係を模式的に示した説明図である。図３は、メニュー階層情報ＭＨをテーブル形式で示した説明図である。
【００４０】
以下の各実施形態において、本発明に係る携帯端末装置の一例である携帯電話機で使用可能なメニューは、例えば３つの階層構造を有する様に規定されている。各階層の識別情報（ＩＤ）を階層ＩＤと定義し、図２において、最上位の階層である第１階層を示すＩＤを「階層ＩＤ＝１」と示す。同様に、第１階層の１つ下位の階層である第２階層を示すＩＤを「階層ＩＤ＝２」と示す。同様に、第２階層の１つ下位の階層であって最下位の第３階層を示すＩＤを「階層ＩＤ＝３」と示す。
【００４１】
以下の各実施形態において、第１階層に属するメニューを符号Ｍｉで表し、携帯電話機１００で使用可能な第１階層に属するメニューＭｉの数は、例えば１０個であるとする。この場合、パラメータｉはｉ＝１〜１０の自然数であり、符号Ｍｉのパラメータｉに応じて当該第１階層に属するメニューＭｉの識別情報であるメニューＩＤが定まる。
【００４２】
例えば、パラメータｉ＝１である場合には、第１階層に属するメニューＭ１のメニューＩＤは「０１００００」である。以下の各実施形態において、メニューＩＤは６桁で構成可能であるとし、上２桁は第１階層内におけるメニューの順序を表し、中間の２桁は第２階層内におけるメニューの順序を表し、最後の下２桁は第３階層内におけるメニューの順序をそれぞれ表す。但し、メニューＩＤの構成は上述したものに限定されない。
【００４３】
同様に、第２階層に属するメニューを符号Ｍｉｊで表し、携帯電話機１００で使用可能な第２階層に属するメニューＭｉｊの数は、例えば３０個であるとする。このため、パラメータｊはｊ＝１〜３０の自然数であり、符号Ｍｉｊのパラメータｉ及びｊに応じて当該第２階層に属するメニューＭｉｊの識別情報であるメニューＩＤが定まる。例えば、パラメータｉ＝１及びｊ＝１である場合には、第２階層に属するメニューＭ１１のメニューＩＤは「０１０１００」である。
【００４４】
但し、図２に示す様に、第１階層に属するメニューＭｉの下位階層である第２階層に属するメニューＭｉｊの数は予め規定されているものとする。このため、第２階層に属するメニューＭｉｊのメニューＩＤを示すパラメータｉ及びｊの組合せ（ｉ，ｊ）は予め規定されている。
【００４５】
例えば、第１階層に属するメニューＭ１の下位階層である第２階層に属するメニューＭｉｊの数が「５」と予め規定されている場合には、パラメータｉ及びｊの組合せ（ｉ，ｊ）＝（１，１），・・・，（１，５）は存在するが、（ｉ，ｊ）＝（１，６）は存在しない。即ち、第２階層に属するメニューＭ１５（メニューＩＤ：０１０５００）は存在するが、メニューＭ１６（メニューＩＤ：０１０６００）は存在しない。
【００４６】
同様に、第３階層に属するメニューを符号Ｍｉｊｋで表し、携帯電話機１００で使用可能な第３階層に属するメニューＭｉｊｋの数は、例えば５０個であるとする。このため、パラメータｋはｋ＝１〜５０の自然数であり、符号Ｍｉｊｋのパラメータｉ，ｊ及びｋに応じて当該第３階層に属するメニューＭｉｊｋの識別情報であるメニューＩＤが定まる。例えば、パラメータｉ＝１、ｊ＝１及びｋ＝１である場合には、第３階層に属するメニューＭ１１１のメニューＩＤは「０１０１０１」である。
【００４７】
但し、図２に示す様に、第２階層に属するメニューＭｉｊの下位階層である第３階層に属するメニューＭｉｊｋの数は予め規定されているものとする。このため、第３階層に属するメニューＭｉｊｋのメニューＩＤを示すパラメータｉ，ｊ及びｋの組合せ（ｉ，ｊ，ｋ）は予め規定されている。
【００４８】
例えば、第１階層に属するメニューＭ１の下位階層である第２階層に属するメニューＭ１１〜Ｍ１５の下位の第３階層に属する各メニューＭｉｊｋの合計数が「８」と予め規定されている場合には、パラメータｉ，ｊ及びｋの組合せ（ｉ，ｊ，ｋ）＝（１，５，１），・・・，（１，５，８）は存在するが、（ｉ，ｊ，ｋ）＝（１，５，９）は存在しない。即ち、第３階層に属するメニューＭ１５８（メニューＩＤ：０１０５０８）は存在するが、メニューＭ１５９（メニューＩＤ：０１０５０９）は存在しない。
【００４９】
図３に示す様に、メニュー階層情報ＭＨは、メニューＩＤ、メニュー名称、階層ＩＤ、上位階層のメニューＩＤ及び下位階層のメニューＩＤの各項目を有し、当該メニュー階層情報ＭＨがテーブル形式で示されている。
【００５０】
例えば、メニューＩＤ「０１００００」に関しては、メニュー名称は「ｘｘｘ」であり、階層ＩＤは「１」であり、下位階層のメニューＩＤは「０１０１００，０１０２００，０１０３００，０１０４００，０１０５００」である。
【００５１】
例えば、メニューＩＤ「０２０６００」に関しては、メニュー名称は「ｙｙｚｚｙ」であり、階層ＩＤは「２」であり、上位階層のメニューＩＤは「０２００００」であり、下位階層のメニューＩＤは「０２０６０９」及び「０２０６１０」である。
【００５２】
例えば、メニューＩＤ「１０３０５０」に関しては、メニュー名称は「ｖｙｕｖｙｙｙｖ」であり、階層ＩＤは「３」であり、上位階層のメニューＩＤは「１０３０００」である。
【００５３】
また、記憶部１０７は、当該制御部１０１又は表示制御部１０８の各動作におけるワークメモリに利用されても良い。
【００５４】
なお、制御部１０１及び表示制御部１０８は、ハードウェア又はソフトウェアで構成することが可能である。特に、これらがソフトウェアにより構成される際には、携帯電話機１００に内蔵されているＣＰＵが当該制御部１０１及び表示制御部１０８の各動作が予め規定された各プログラムを記憶部１０７から読み込むことで、当該制御部１０１及び表示制御部１０８が動作可能となる。
【００５５】
表示制御部１０８は、制御部１０１により出力された指示に応じて、文字、画像、映像及びその組合せ等からなる画面を表示部１０９に表示する様に当該表示部１０９を制御する。なお、表示制御部１０８の動作の詳細に関しては後述する。
【００５６】
表示部１０９は、例えば携帯電話機１００のＬＣＤ（Liquid Crystal Display）により構成され、表示制御部１０８の制御の下で、表示対象となる画面を表示する。
【００５７】
２．第１の実施形態の携帯電話機の表示部に表示される各画面に関する説明
次に、第１の実施形態の携帯電話機１００の表示部１０９に表示される各画面について、図４〜６を参照して説明する。図４は、各階層に属する各メニューに対応する各アイコンが表示される表示領域ＤＲ１、及び、第１階層に属するメニューＭｉに対応するアイコンが円弧状に配列して表示された状況の一例を示す説明図である。同図（ａ）は、各階層に属する各メニューに対応する各アイコンが表示される表示領域ＤＲ１と、所定の中心領域ＣＣ１とをそれぞれ示す説明図である。同図（ｂ）は、第１階層に属するメニューＭｉに対応する各アイコンが円弧状に配列して表示された状況の一例を示す説明図である。
【００５８】
図５は、第１階層に属する各メニューＭｉに対応する各アイコンの回転スクロールの状況を示す説明図である。同図（ａ）は、回転スクロール前の状況を示す説明図である。同図（ｂ）は、当該各アイコンを円弧状の配列に沿って右方向に回転スクロールした状況を示す説明図である。同図（ｃ）は、当該各アイコンを円弧状の配列に沿って左方向に回転スクロールした状況を示す説明図である。
【００５９】
図６は、第１階層及び第２階層に属する各メニューＭｉ及びＭｉｊに対応する各アイコンを選択した場合の表示内容を示す説明図である。同図（ａ）は、第１階層に属する各メニューＭｉに対応する各アイコンが選択可能に表示された状況を示す説明図である。同図（ｂ）は、第２階層に属する各メニューＭｉｊに対応する各アイコンが選択可能に表示された状況を示す説明図である。同図（ｃ）は、第３階層に属する各メニューＭｉｊｋに対応する各アイコンが選択可能に表示された状況を示す説明図である。
【００６０】
図４（ａ）において、表示部１０９の同図紙面右下の端点を原点（０，０）、当該原点を起点に同図紙面左方向にｘ軸、及び同図紙面上方向にｙ軸を設けるとする。なお、特段の説明がない限り、表示部１０９を示した他の図面においても同様の原点、ｘ軸及びｙ軸が適用可能である。
【００６１】
図４（ａ）において、座標（ｘ２，０）、座標（ｘ３，０）、座標（０，ｙ３）及び座標（０，ｙ２）で囲まれる領域は、携帯電話機１００により、上述した各階層に属する各メニューに対応する各アイコンが円弧状に配列して表示される表示領域ＤＲ１である。第１の実施形態では、携帯電話機１００のユーザが例えば右利きである場合に当該ユーザが片手で操作し易くなる様に、表示領域ＤＲ１が定められる。なお、表示領域ＤＲ１は、表示部１０９の表示領域の全体ではなく、当該表示領域の一部として例えば表示部１０９の右下の所定の範囲であることが好ましい。これにより、ユーザは、例えば、片手（右手）による操作を簡単に行うことができる。このように、表示制御部１０８は、メニュー又はアイコンを、表示部１０９の右下の一部の表示領域に円弧状に配列して表示させる。このことにより、例えば、ユーザは、ユーザの右手の手のひらで携帯電話機１００の右下の角を支えた状態で右手だけで（片手で）操作しても、携帯電話機１００の下側が支えられているので、表示部１０９が斜めに傾いたり、携帯電話機１００を下に落としたりする心配をしないで安心して操作することができる。また、ユーザが、この状態で操作した場合に、当該ユーザの指が十分に届く様に操作しやすい位置にメニュー又はアイコンが表示されることになる。
【００６２】
これらの各座標に関するデータは、表示制御部１０８の動作において予め規定されていても良い。又は、これらの各座標に関するデータは記憶部１０７に記憶されても良く、表示制御部１０８は当該各アイコンを円弧状に配列して表示する際、当該各座標に関するデータを記憶部１０７から読み出して表示領域ＤＲ１を定めても良い。
【００６３】
図４（ａ）において、座標（０，０）、座標（ｘ１，０）及び座標（０，ｙ１）で囲まれる中心領域ＣＣ１に対して上述した入力操作のうち例えばタップ操作が行われた場合、携帯電話機１００は、第１階層に属するメニューＭｉに対応するアイコンだけを円弧状に配列して表示する。
【００６４】
従って、例えば後述する図６（ｂ）に示す様に、第２階層に属する各メニューＭｉｊに対応する各アイコンが選択可能に表示されている場合に中心領域ＣＣ１に対してタップ操作が行われると、携帯電話機１００は、図４（ｂ）又は図６（ａ）に示す様に、第１階層に属する各メニューＭｉに対応する各アイコンだけを円弧状に配列して表示する。なお、後述する図６（ｃ）に示す様に、第３階層に属する各メニューＭｉｊｋに対応する各アイコンが選択可能に表示されている場合に中心領域ＣＣ１に対してタップ操作が行われた場合についても同様である。
【００６５】
なお、中心領域ＣＣ１の中で上述した入力操作のうち例えばタッチ操作又はスライド操作が行われた場合にも、携帯電話機１００は、第１階層に属する各メニューに対応する各アイコンだけを円弧状に配列して表示しても良い。
【００６６】
図４（ｂ）において、表示部１０９の表示領域ＤＲ１に相当する表示領域内には、第１階層に属する各メニューＭ１〜Ｍ５に対応する各アイコンＩＣ１〜ＩＣ５が選択可能に、円弧状に配列して表示されている。
【００６７】
図４（ｂ）に示す様に、円弧状に配列して表示される各アイコンは、当該各アイコンに対応する各メニューの各メニューＩＤが連続する様にして表示される。例えば図４（ｂ）には、メニューＩＤ「０１００００」のメニューＭ１、メニューＩＤ「０２００００」のメニューＭ２、メニューＩＤ「０３００００」のメニューＭ３、メニューＩＤ「０４００００」のメニューＭ４、及びメニューＩＤ「０５００００」のメニューＭ５という様に、各メニューＩＤが連続する様にして表示されている。
【００６８】
例えば、携帯電話機１００の電源ボタン１０２が押下された場合、制御部１０１は、第１階層に属する各メニューＭ１〜Ｍ５に対応する各アイコンＩＣ１〜ＩＣ５を円弧状に配列して表示する様に表示制御部１０８に指示する。表示制御部１０８は、制御部１０１からの指示に応じて、図４（ｂ）に示す様に、第１階層に属する各メニューＭ１〜Ｍ５に対応する各アイコンＩＣ１〜ＩＣ５を円弧状に配列して表示する。これらの各アイコンＩＣ１〜ＩＣ５は、上述した入力操作に応じて選択が可能である。
【００６９】
なお、図４（ｂ）において、補助線ＡＬ１は、第１階層に属する各メニューＭ１〜Ｍ５に対応する各アイコンＩＣ１〜ＩＣ５を円弧状に配列して表示するために用いられる線であり、表示部１０９には表示されない。なお、表示制御部１０８は、当該補助線ＡＬ１を表示部１０９に表示しても良い。また、補助線ＡＬ１とｘ軸との交点の座標を（ｘｐ１，０）と表した場合には、数式（１）が成立する。また、補助線ＡＬ１とｙ軸との交点の座標を（０，ｙｐ１）と表した場合には、数式（２）が成立する。
【００７０】
これらの座標（ｘｐ１，０）及び（０，ｙｐ１）に関するデータは、表示制御部１０８の動作において予め規定されていても良い。又は、これらの各座標に関するデータは記憶部１０７に記憶されても良く、表示制御部１０８は当該各アイコンを円弧状に配列して表示する際、当該各座標に関するデータを記憶部１０７から読み出して補助線ＡＬ１を定めても良い。以下の各実施形態においても、座標（ｘｐ１，０）及び（０，ｙｐ１）に関するデータの説明は同様である。
【００７１】
【数１】
0005334330.tif 000002
【００７２】
【数２】
0005334330.tif 000003
【００７３】
表示制御部１０８は、当該補助線ＡＬ１上に所定数のアイコンを配置する様に、第１階層に属する各メニューＭ１〜Ｍ５に対応する各アイコンＩＣ１〜ＩＣ５を円弧状に配列して表示する。なお、この円弧状に配列して表示される各アイコンの所定数は、表示制御部１０８の動作において予め規定されていることが好ましい。以下の各実施形態では当該所定数を例えば「５」として説明する。
【００７４】
図４（ｂ）において、各メニューＭ１〜Ｍ５に対応する各アイコンＩＣ１〜ＩＣ５の左上側に、当該各メニューＭ１〜Ｍ５のメニュー名称がそれぞれ表示されている。例えば、メニューＭ１に対応するアイコンＩＣ１の左上側には、当該メニューＭ１のメニュー名称「ｘｘｘ」が表示されている。他のメニューＭ２〜Ｍ５に対応する各アイコンＩＣ２〜ＩＣ５についても同様である。
【００７５】
次に、図５（ａ）において、円弧状に配列して選択可能に表示されている第１階層に属する各メニューＭ１〜Ｍ５に対応する各アイコンＩＣ１〜ＩＣ５のうち、ユーザが任意のアイコンとして例えばアイコンＩＣ３上をタッチ操作した状態でそのまま例えば右上方向に当該円弧状に沿ってスライド操作したとする。この場合、表示制御部１０８は、当該スライド操作に応じて、時計周りに当該各アイコンＩＣ１〜ＩＣ５を回転スクロールする（図５（ｂ）参照）。図５（ｂ）には、当該回転スクロール後の第１階層に属する各メニューＭ３〜Ｍ７に対応する各アイコンＩＣ３〜ＩＣ７が選択可能に、円弧状に配列して表示されている。
【００７６】
また、図５（ａ）において、円弧状に配列して選択可能に表示されている第１階層に属するメニューＭ１〜Ｍ５に対応する各アイコンＩＣ１〜ＩＣ５のうち、ユーザが任意のアイコンとして例えばアイコンＩＣ３上をタッチ操作した状態でそのまま例えば左下方向に当該円弧状に沿ってスライド操作したとする。この場合、表示制御部１０８は、当該スライド操作に応じて、反時計周りに当該各アイコンＩＣ１〜ＩＣ５を回転スクロールする（図５（ｃ）参照）。図５（ｃ）には、当該回転スクロール後の第１階層に属する各メニューＭ９，Ｍ１０，Ｍ１〜Ｍ３に対応する各アイコンＩＣ９，ＩＣ１０，ＩＣ１〜ＩＣ３が選択可能に、円弧状に配列して表示されている。
【００７７】
なお、上述した様に第１階層に属するメニューの数が１０個である場合には、第１階層に属する最後のメニューＭ１０（メニューＩＤ：１０００００）の次のメニューは同階層に属するメニューＭ１（メニューＩＤ：０１００００）となる様に、同階層に属する各メニューに対応する各アイコンは循環的に表示される。同様に、第２階層及び第３階層に属する各メニューに対応する各アイコンも循環的に表示される。
【００７８】
次に、図６（ａ）において、円弧状に配列して選択可能に表示されている第１階層に属する各メニューＭ１〜Ｍ５に対応する各アイコンＩＣ１〜ＩＣ５のうち、ユーザが例えばメニューＭ３上をタッチ操作して選択したとする。この場合、表示制御部１０８は、当該選択に応じて、第１階層に属する各メニューＭ１〜Ｍ５に対応する各アイコンＩＣ１〜ＩＣ５を縮小し、当該縮小された各アイコンＩＣ１〜ＩＣ５を、当該選択直前における当該各アイコンＩＣ１〜ＩＣ５の円弧状の配列の内側に表示する（図６（ｂ）参照）。
【００７９】
更に、表示制御部１０８は、当該選択された第１階層に属するメニューＭ３の下位の第２階層に属する各メニューＭ３１３〜Ｍ３１７に対応する各アイコンＩＣ３１３〜ＩＣ３１７を、当該縮小された第１階層の各メニューＭ１〜Ｍ５の円弧状の配列の外側に拡大して表示する（図６（ｂ）参照）。なお、この各アイコンＩＣ３１３〜ＩＣ３１７は、上述した入力操作に応じて選択が可能である。
【００８０】
図６（ｂ）において、補助線ＡＬ２は、第１階層に属する各メニューＭ１〜Ｍ５に対応して縮小された各アイコンＩＣ１〜ＩＣ５を円弧状に配列して表示するために用いられる線であり、表示部１０９には表示されない。但し、表示制御部１０８は、当該補助線ＡＬ２を表示部１０９に表示しても良い。また、補助線ＡＬ２とｘ軸との交点の座標を（ｘｐ２，０）と表した場合には、数式（３）が成立する。また、補助線ＡＬ２とｙ軸との交点の座標を（０，ｙｐ２）と表した場合には、数式（４）が成立する。
【００８１】
これらの座標（ｘｐ２，０）及び（０，ｙｐ２）に関するデータは、表示制御部１０８の動作において予め規定されていても良い。又は、これらの各座標に関するデータは記憶部１０７に記憶されても良く、表示制御部１０８は当該各アイコンを円弧状に配列して表示する際、当該各座標に関するデータを記憶部１０７から読み出して補助線ＡＬ２を定めても良い。以下の各実施形態においても、座標（ｘｐ２，０）及び（０，ｙｐ２）に関するデータの説明は同様である。
【００８２】
【数３】
0005334330.tif 000004
【００８３】
【数４】
0005334330.tif 000005
【００８４】
表示制御部１０８は、当該補助線ＡＬ２上に所定数のアイコンを配置する様に、第１階層に属する各メニューＭ１〜Ｍ５に対応する各アイコンＩＣ１〜ＩＣ５を円弧状に配列して表示する。また、表示制御部１０８は、上述した様に、補助線ＡＬ１上に所定数のアイコンを配置する様に、第２階層に属するメニューＭ３１３〜Ｍ３１７に対応するアイコンＩＣ３１３〜ＩＣ３１７を選択可能に、円弧状に配列して表示する。
【００８５】
図６（ｂ）において、各メニューＭ３１３〜Ｍ３１７に対応する各アイコンＩＣ３１３〜ＩＣ３１７の左上側に、当該各メニューＭ３１３〜Ｍ３１７のメニュー名称がそれぞれ表示されている。例えば、メニューＭ３１３に対応するアイコンＩＣ３１３の左上側には、当該メニューＭ３１３のメニュー名称「ｘｚｘｚｙ」が表示されている。他のメニューＭ３１４〜Ｍ３１７に対応する各アイコンＩＣ３１４〜ＩＣ３１７についても同様である。
【００８６】
次に、図６（ｂ）において、円弧状に配列して選択可能に表示されている第２階層に属する各メニューＭ３１３〜Ｍ３１７に対応する各アイコンＩＣ３１３〜ＩＣ３１７のうち、ユーザが例えばメニューＭ３１５上をタッチ操作して選択したとする。この場合、表示制御部１０８は、当該選択に応じて、第１階層に属する各メニューＭ１〜Ｍ５に対応する各アイコンＩＣ１〜ＩＣ５を更に縮小し、当該更に縮小された各アイコンＩＣ１〜ＩＣ５を、当該選択直前における当該各アイコンＩＣ１〜ＩＣ５の円弧状の配列の内側に表示する（図６（ｃ）参照）。
【００８７】
更に、表示制御部１０８は、当該選択に応じて、第２階層に属する各メニューＭ３１３〜Ｍ３１７に対応する各アイコンＩＣ３１３〜ＩＣ３１７を縮小し、当該縮小された各アイコンＩＣ３１３〜ＩＣ３１７を、当該選択直前における当該各アイコンＩＣ３１３〜ＩＣ３１７の円弧状の配列の内側に表示する（図６（ｃ）参照）。更に、表示制御部１０８は、当該選択に応じて、当該選択された第２階層に属する各メニューＭ３１５の下位の第３階層に属する各メニューＭ３１５３６〜Ｍ３１５４０に対応する各アイコンＩＣ３１５３６〜ＩＣ３１５４０を、当該縮小された第２階層の各メニューＭ３１３〜Ｍ３１７の円弧状の配列の外側に表示する。
【００８８】
図６（ｃ）において、補助線ＡＬ３は、第１階層に属する各メニューＭ１〜Ｍ５に対応して縮小された各アイコンＩＣ１〜ＩＣ５を円弧状に配列して表示するために用いられる線であり、表示部１０９には表示されない。但し、表示制御部１０８は、当該補助線ＡＬ３を表示部１０９に表示しても良い。また、補助線ＡＬ３とｘ軸との交点の座標を（ｘｐ３，０）と表した場合には、数式（５）が成立する。また、補助線ＡＬ３とｙ軸との交点の座標を（０，ｙｐ３）と表した場合には、数式（６）が成立する。
【００８９】
これらの座標（ｘｐ３，０）及び（０，ｙｐ３）に関するデータは、表示制御部１０８の動作において予め規定されていても良い。又は、これらの各座標に関するデータは記憶部１０７に記憶されても良く、表示制御部１０８は当該各アイコンを円弧状に配列して表示する際、当該各座標に関するデータを記憶部１０７から読み出して補助線ＡＬ３を定めても良い。以下の各実施形態においても、座標（ｘｐ３，０）及び（０，ｙｐ３）に関するデータの説明は同様である。
【００９０】
【数５】
0005334330.tif 000006
【００９１】
【数６】
0005334330.tif 000007
【００９２】
表示制御部１０８は、当該補助線ＡＬ３上に所定数のアイコンを配置する様に、第１階層に属する各メニューＭ１〜Ｍ５に対応する各アイコンＩＣ１〜ＩＣ５を円弧状に配列して表示する。また、表示制御部１０８は、上述した様に、補助線ＡＬ２上に所定数のアイコンを配置する様に、第２階層に属するメニューＭ３１３〜Ｍ３１７に対応するアイコンＩＣ３１３〜ＩＣ３１７を円弧状に配列して表示する。また、表示制御部１０８は、上述した様に、補助線ＡＬ１上に所定数のアイコンを配置する様に、第３階層に属するメニューＭ３１５３６〜Ｍ３１５４０に対応するアイコンＩＣ３１５３６〜ＩＣ３１５４０を円弧状に配列して表示する。
【００９３】
図６（ｂ）において、各メニューＭ３１３〜Ｍ３１７に対応する各アイコンＩＣ３１３〜ＩＣ３１７の左上側に、当該各メニューＭ３１３〜Ｍ３１７の各メニュー名称が表示されている。例えば、メニューＭ３１３に対応するアイコンＩＣ３１３の左上側には、当該メニューＭ３１３のメニュー名称「ｘｚｘｚｙ」が表示されている。他の各メニューＭ３１４〜Ｍ３１７に対応する各アイコンＩＣ３１４〜ＩＣ３１７についても同様である。
【００９４】
同様に、図６（ｃ）において、各メニューＭ３１５３６〜Ｍ３１５４０に対応する各アイコンＩＣ３１５３６〜ＩＣ３１５４０の左上側に、当該各メニューＭ３１５３６〜Ｍ３１５４０のメニュー名称が表示されている。例えば、メニューＭ３１５３６に対応するアイコンＩＣ３１５３６の左上側には、当該メニューＭ３１５３６のメニュー名称「ｗｓｘｚｙ」が表示されている。他の各メニューＭ３１５３７〜Ｍ３１５４０に対応する各アイコンＩＣ３１５３７〜ＩＣ３１５４０についても同様である。
【００９５】
図７は、図６（ｃ）と同様に、第３階層に属する各メニューＭ３１５３６〜Ｍ３１５４０に対応する各アイコンが選択可能に円弧状に配列して表示されている場合において、第１階層及び第２階層に属する各メニューＭ１〜Ｍ５及びＭ３１３〜Ｍ３１７に対応する各アイコンの操作に関する説明図である。
【００９６】
図７において、円弧状に配列して選択可能に表示されている第３階層に属する各メニューＭ３１５３６〜Ｍ３１５４０に対応する各アイコンＩＣ３１５３６〜ＩＣ３１５４０は、表示領域ＡＲ３に表示される。同様に、円弧状に配列して表示されている第２階層に属する各メニューＭ３１３〜Ｍ３１７に対応する各アイコンＩＣ３１３〜ＩＣ３１７は、表示領域ＡＲ２に表示される。同様に、円弧状に配列して表示されている第１階層に属する各メニューＭ１〜Ｍ５に対応する各アイコンＩＣ１〜ＩＣ５は、表示領域ＡＲ１に表示される。なお、図７においては、説明の便宜上、第３階層に属する各メニューＭ３１５３６〜Ｍ３１５４０に対応する各アイコンＩＣ３１５３６〜ＩＣ３１５４０の左上側に表示される当該各メニューＭ３１５３６〜Ｍ３１５４０の各メニュー名称は省略している。
【００９７】
表示領域ＡＲ３は、座標（ｘｍ１，０），座標（ｘｍ２，０），座標（０，ｙｍ２）及び座標（０，ｙｍ１）で囲まれる領域である（より詳しくは、座標（ｘｍ１，０）及び座標（０，ｙｍ１）を通る円弧（円又は楕円）と、座標座標（ｘｍ２，０）及び座標（０，ｙｍ２）を通る円弧（円又は楕円）と、座標（ｘｍ１，０）及び座標（ｘｍ２，０）を通る直線と、座標（０，ｙｍ２）及び座標（０，ｙｍ１）を通る直線とで囲まれる領域である。以下同様。）。表示制御部１０８は、第３階層に属する各メニューＭ３１５３６〜Ｍ３１５４０に対応する各アイコンＩＣ３１５３６〜ＩＣ３１５４０を選択可能に、円弧状に配列して表示領域ＡＲ３内に表示する。
【００９８】
同様に、表示領域ＡＲ２は、座標（ｘｍ３，０），座標（ｘｍ４，０），座標（０，ｙｍ３）及び座標（０，ｙｍ４）で囲まれる領域である。表示制御部１０８は、第２階層に属する各メニューＭ３１３〜Ｍ３１７に対応する各アイコンＩＣ３１３〜ＩＣ３１７を、円弧状に配列して表示領域ＡＲ２内に表示する。なお、表示制御部１０８は、第２階層に属する各メニューＭ３１３〜Ｍ３１７に対応する各アイコンＩＣ３１３〜ＩＣ３１７を選択不能に、表示領域ＡＲ２内に表示する。
【００９９】
同様に、表示領域ＡＲ１は、座標（ｘｍ５，０），座標（ｘｍ６，０），座標（０，ｙｍ５）及び座標（０，ｙｍ６）で囲まれる領域である。表示制御部１０８は、第１階層に属する各メニューＭ１〜Ｍ５に対応する各アイコンＩＣ１〜ＩＣ５を、円弧状に配列して表示領域ＡＲ１内に表示する。なお、表示制御部１０８は、第１階層に属する各メニューＭ１〜Ｍ５に対応する各アイコンＩＣ１〜ＩＣ５を選択不能に、表示領域ＡＲ１内に表示する。
【０１００】
これらの座標（ｘｍ１，０），座標（ｘｍ２，０），座標（ｘｍ３，０），座標（ｘｍ４，０），座標（ｘｍ５，０），座標（ｘｍ６，０），座標（０，ｙｍ１），座標（０，ｙｍ２），座標（０，ｙｍ３），座標（０，ｙｍ４），座標（０，ｙｍ５）及び座標（０，ｙｍ６）に関して、数式（７）及び数式（８）がそれぞれ成立する。
【０１０１】
【数７】
0005334330.tif 000008
【０１０２】
【数８】
0005334330.tif 000009
【０１０３】
これらの座標（ｘｍ１，０），座標（ｘｍ２，０），座標（ｘｍ３，０），座標（ｘｍ４，０），座標（ｘｍ５，０），座標（ｘｍ６，０），座標（０，ｙｍ１），座標（０，ｙｍ２），座標（０，ｙｍ３），座標（０，ｙｍ４），座標（０，ｙｍ５）及び座標（０，ｙｍ６）に関するデータは、表示制御部１０８の動作において予め規定されていても良い。又は、これらの各座標に関するデータは記憶部１０７に記憶されても良く、表示制御部１０８は当該各アイコンを円弧状に配列して表示する際、当該各座標に関するデータを記憶部１０７から読み出して表示領域ＡＲ１，ＡＲ２，ＡＲ３を定めても良い。
【０１０４】
但し、上述した表示領域ＡＲ１若しくは表示領域ＡＲ２のいずれか、又は表示領域ＡＲ１及び表示領域ＡＲ２にそれぞれ表示された各アイコンに関して、ユーザが当該各アイコン上をタッチ操作した状態で例えば右上方向に当該円弧状に沿ってスライド操作したとする。この場合、表示制御部１０８は、当該スライド操作に応じて、時計周りに当該各アイコンを回転スクロールさせても良い。この場合に、表示制御部１０８は、第１階層に属する各メニューＭ１〜Ｍ５に対応する各アイコンＩＣ１〜ＩＣ５、及び第２階層に属する各メニューＭ３１３〜Ｍ３１７に対応する各アイコンＩＣ３１３〜ＩＣ３１７を選択不能に、円弧状に配列して表示することが好ましい。これにより、第３階層に属する各メニューＭ３１５３６〜Ｍ３１５４０に対応する各アイコンＩＣ３１５３６〜ＩＣ３１５４０が選択可能に円弧状に配列して表示されている間に、ユーザが当該各アイコンＩＣ１〜ＩＣ５及びＩＣ３１３〜ＩＣ３１７のうちいずれかのアイコンに対する誤操作を防ぐことができる。
【０１０５】
同様に、上述した表示領域ＡＲ１若しくは表示領域ＡＲ２のいずれか、又は表示領域ＡＲ１及び表示領域ＡＲ２にそれぞれ表示された各アイコンに関して、ユーザが当該各アイコン上をタッチ操作した状態で例えば左下方向に当該円弧状に沿ってスライド操作したとする。この場合、表示制御部１０８は、当該スライド操作に応じて、反時計周りに当該各アイコンを回転スクロールさせても良い。この場合に、表示制御部１０８は、第１階層に属する各メニューＭ１〜Ｍ５に対応する各アイコンＩＣ１〜ＩＣ５、及び第２階層に属する各メニューＭ３１３〜Ｍ３１７に対応する各アイコンＩＣ３１３〜ＩＣ３１７を選択不能に、円弧状に配列して表示することが好ましい。これにより、第３階層に属する各メニューＭ３１５３６〜Ｍ３１５４０に対応する各アイコンＩＣ３１５３６〜ＩＣ３１５４０が選択可能に円弧状に配列して表示されている間に、ユーザが当該各アイコンＩＣ１〜ＩＣ５及びＩＣ３１３〜ＩＣ３１７のうちいずれかのアイコンに対する誤操作を防ぐことができる。
【０１０６】
また、上述した表示領域ＡＲ１若しくは表示領域ＡＲ２のいずれか、又は表示領域ＡＲ１及び表示領域ＡＲ２にそれぞれ表示された各アイコンに関して、ユーザが当該各アイコン上をタッチ操作した状態で例えば右上方向又は左下方向に沿ってスライド操作したとする。この場合、表示制御部１０８は、当該スライド操作に関係なく、当該各アイコンの回転スクロールを禁止する様に当該各アイコンを表示しても良い。これにより、携帯電話機１００は、第３階層に属する各メニューに対応する各アイコンが選択可能に円弧状に配列して表示されている間は、ユーザに当該第３階層に属する各メニューに対応する各アイコンの選択を促すことができる。
【０１０７】
３．第１の実施形態の携帯電話機の動作に関する説明
図８は、第１の実施形態の携帯電話機１００の動作を説明するフローチャートである。以下の図８に示すフローチャートの説明においては、具体例を説明するために必要に応じて図４〜図６を参照する。
【０１０８】
図８において、ユーザにより携帯電話機１００の電源ボタン１０２が所定時間継続して押下された場合（Ｓ１１、ＹＥＳ）、電源回路部１０３は、電源ボタン１０２により出力された電源制御信号に応じて、携帯電話機１００に内蔵されている電力供給源から各部に電力を供給して携帯電話機１００を動作可能にする。
【０１０９】
携帯電話機１００が動作可能となった後、制御部１０１は、記憶部１０７に記憶されているメニュー階層情報ＭＨを読み込む（Ｓ１２）。メニュー階層情報ＭＨの読み込み後、制御部１０１は、第１階層に属する各メニューＭｉに対応する各アイコンを円弧状に配列して表示する様に表示制御部１０８に指示する。
【０１１０】
表示制御部１０８は、制御部１０１からの指示に応じて、メニュー階層情報ＭＨを参照して、表示部１０９の所定領域ＤＲ１に（図４（ａ）参照）、当該メニュー階層情報ＭＨにおける第１階層に属する所定数の各メニューＭ１〜Ｍ５に対応する各アイコンを円弧状に配列して表示する（Ｓ１３、図６（ａ）参照）。上述した様に、所定数は５として説明する。
【０１１１】
ステップＳ１３の後、円弧状に配列して選択可能に表示されている各メニューＭ１〜Ｍ５に対応する各アイコンＩＣ１〜ＩＣ５のうち、ユーザのタッチ操作によりいずれかのアイコンとして例えばメニューＭ３に対応するアイコンＩＣ３が選択されたとする（Ｓ１４、ＹＥＳ）。この場合、制御部１０１は、当該選択されたメニューＭ３の下位の第２階層に属する各メニューＭ３１３〜Ｍ３１７に対応する各アイコンＩＣ３１３〜ＩＣ３１７を選択可能に、円弧状に配列して表示する様に表示制御部１０８に指示する。
【０１１２】
表示制御部１０８は、制御部１０１からの指示に応じて、ステップＳ１４の選択直前に表示されていた各メニューＭ１〜Ｍ５に対応する各アイコンＩＣ１〜ＩＣ５を縮小し、当該縮小された各アイコンＩＣ１〜ＩＣ５を、当該選択直前における当該各アイコンＩＣ１〜ＩＣ５の円弧状の配列の内側に表示する（Ｓ１５、図６（ｂ）参照）。
【０１１３】
更に、表示制御部１０８は、ステップＳ１４で選択されたメニューＭ３の下位の第２階層に属する各メニューＭ３１３〜Ｍ３１７に対応する各アイコンＩＣ３１３〜ＩＣ３１７を選択可能に、当該縮小された第１階層に属する各メニューＭ１〜Ｍ５の円弧状の配列の外側に表示する（Ｓ１５、図６（ｂ）参照）。なお、上述した様に、ステップＳ１５で表示された縮小された各アイコンＩＣ１〜ＩＣ５、及び当該各アイコンＩＣ１〜ＩＣ５の外側に表示された各アイコンＩＣ３１３〜ＩＣ３１７は、表示部１０９の所定領域ＤＲ１に表示される。
【０１１４】
ステップＳ１５で表示された各アイコンＩＣ３１３〜ＩＣ３１７のうちいずれのアイコンの選択もされず（Ｓ１６、ＮＯ）、図４（ａ）に示した中心領域ＣＣ１に対するタップ操作がユーザにより行われた場合、又はステップＳ１５で表示された各アイコンＩＣ３１３〜ＩＣ３１７のうちいずれかのアイコンをタッチ操作した状態でそのまま中心領域ＣＣ１に向かってスライド操作がユーザにより行われたとする（Ｓ１７、ＹＥＳ）。この場合、制御部１０１は、第１階層に属する各メニューＭ１〜Ｍ５に対応する各アイコンだけを円弧状に配列して表示する様に表示制御部１０８に指示する。
【０１１５】
表示制御部１０８は、制御部１０１からの指示に応じて、表示部１０９の所定領域ＤＲ１に（図４（ａ）参照）、メニュー階層情報ＭＨにおける第１階層に属する所定数の各メニューＭ１〜Ｍ５に対応する各アイコンＩＣ１〜ＩＣ５を選択可能に、円弧状に配列して表示する（Ｓ１３、図６（ａ）参照）。
【０１１６】
ステップＳ１５の後、円弧状に配列して選択可能に表示されているメニューＭ３１３〜Ｍ３１７に対応するアイコンＩＣ３１３〜ＩＣ３１７のうち、ユーザのタッチ操作によりいずれかのアイコンとして例えばメニューＭ３１５に対応するアイコンＩＣ３１５が選択されたとする（Ｓ１６、ＹＥＳ）。この場合、制御部１０１は、当該選択されたメニューＭ３１５の下位の第３階層に属する各メニューＭ３１５３６〜Ｍ３１５４０に対応する各アイコンＩＣ３１５３６〜ＩＣ３１５４０を選択可能に、円弧状に配列して表示する様に表示制御部１０８に指示する。
【０１１７】
表示制御部１０８は、制御部１０１からの指示に応じて、ステップＳ１６の選択直前に表示されていた各メニューＭ３１３〜Ｍ３１７に対応する各アイコンＩＣ３１３〜ＩＣ３１７を縮小し、当該縮小された各アイコンＩＣ３１３〜ＩＣ３１７を、当該選択直前における当該各アイコンＩＣ１〜ＩＣ５の円弧状の配列の内側に表示する（Ｓ１８、図６（ｃ）参照）。
【０１１８】
更に、表示制御部１０８は、ステップＳ１６で選択されたメニューＭ３１５の下位の第３階層に属する各メニューＭ３１５３６〜Ｍ３１５４０に対応する各アイコンＩＣ３１５３６〜ＩＣ３１５４０を選択可能に、当該縮小された第２階層のメニューＭ３１３〜Ｍ３１７の円弧状の配列の外側に表示する（Ｓ１８、図６（ｃ）参照）。なお、上述した様に、ステップＳ１８で表示された縮小された各アイコンＩＣ１〜ＩＣ５、当該各アイコンＩＣ１〜ＩＣ５の外側に表示された各アイコンＩＣ３１３〜ＩＣ３１７、及び当該各アイコンＩＣ３１３〜ＩＣ３１７の外側に表示された各アイコンＩＣ３１５３６〜ＩＣ３１５４０は、表示部１０９の所定領域ＤＲ１に表示される。
【０１１９】
ステップＳ１８の後、円弧状に配列して選択可能に表示されている各メニューＭ３１５３６〜Ｍ３１５４０に対応する各アイコンＩＣ３１５３６〜ＩＣ３１５４０のうち、ユーザのタッチ操作によりいずれかのアイコンとして例えばメニューＭ３１５３６に対応するアイコンＩＣ３１５３６が選択されたとする（Ｓ１９、ＹＥＳ）。この場合、制御部１０１は、当該選択されたアイコンＩＣ３１５３６に対応して実行可能なアプリケーションを実行する（Ｓ２０）。上述した様に、この実行可能なアプリケーションは、記憶部１０７に記憶されている。
【０１２０】
ステップＳ１８で表示された各アイコンＩＣ３１５３６〜ＩＣ３１５４０のうちいずれのアイコンの選択がされず（Ｓ１９、ＮＯ）、図４（ａ）に示した中心領域ＣＣ１に対するタップ操作がユーザにより行われた場合（Ｓ２１、ＹＥＳ）、制御部１０１は、第１階層に属する各メニューＭ１〜Ｍ５に対応する各アイコンだけを選択可能に、円弧状に配列して表示する様に表示制御部１０８に指示する。
【０１２１】
表示制御部１０８は、制御部１０１からの指示に応じて、表示部１０９の所定領域ＤＲ１に（図４（ａ）参照）、メニュー階層情報ＭＨにおける第１階層に属する所定数の各メニューＭ１〜Ｍ５に対応する各アイコンを選択可能に、円弧状に配列して表示する（Ｓ１３、図６（ａ）参照）。
【０１２２】
ステップＳ１８で表示された各アイコンＩＣ３１５３６〜ＩＣ３１５４０のうちいずれのアイコンの選択もされず（Ｓ１９、ＮＯ）、ステップＳ１８で表示された各アイコンＩＣ３１５３６〜ＩＣ３１５４０のうちいずれかのアイコンとして例えばアイコンＩＣ３１５３６をタッチ操作した状態でそのまま中心領域ＣＣ１に向かってスライド操作がユーザにより行われたとする（Ｓ２２、ＹＥＳ）。
【０１２３】
この場合、制御部１０１は、当該タッチ操作されたアイコンＩＣ３１５３６を含み、選択可能に円弧状に配列して表示されていた最下層に属する各メニューＭ３１５３６〜Ｍ３１５４０に対応する各アイコンＩＣ３１５３６〜ＩＣ３１５４０を消去する様に表示制御部１０８に指示する。更に、制御部１０１は、当該タッチ操作されたアイコンＩＣ３１５３６に対応するメニューＭ３１５３６の上位の第２階層に属するメニューＭ３１５を含む所定数の同階層に属する例えば各メニューＭ３１３〜Ｍ３１７に対応する各アイコンＩＣ３１３〜ＩＣ３１７を選択可能に、円弧状に配列して表示する様に表示制御部１０８に指示する。
【０１２４】
表示制御部１０８は、制御部１０１からの指示に応じて、当該タッチ操作されたアイコンＩＣ３１５３６を含み、選択可能に円弧状に配列して表示されていた最下層に属する各メニューＭ３１５３６〜Ｍ３１５４０に対応する各アイコンＩＣ３１５３６〜ＩＣ３１５４０を消去する。更に、表示制御部１０８は、当該タッチ操作されたアイコンＩＣ３１５３６に対応するメニューＭ３１５３６の上位の第２階層に属するＭ３１５を含む同階層に属する各メニューＭ３１３〜Ｍ３１７に対応する各アイコンＩＣ３１３〜ＩＣ３１７を選択可能に、円弧状に配列して表示する（Ｓ１５、図６（ｂ）参照）。
【０１２５】
更に、表示制御部１０８は、当該各アイコンＩＣ３１３〜ＩＣ３１７の内側に、ステップＳ２２のスライド操作時において表示されていた各アイコンＩＣ１〜ＩＣ５を円弧状に配列して表示する（Ｓ１５、図６（ｂ）参照）。なお、上述した様に、ステップＳ１５で表示された縮小された各アイコンＩＣ１〜ＩＣ５、及び当該各アイコンＩＣ１〜ＩＣ５の外側に表示された各アイコンＩＣ３１３〜ＩＣ３１７は、表示部１０９の所定領域ＤＲ１に表示される。
【０１２６】
以上により、第１の実施形態の携帯電話機１００によれば、上位又は下位の階層構造を有する各メニューＭｉ，Ｍｉｊ，Ｍｉｊｋ、又は当該各メニューＭｉ，Ｍｉｊ，Ｍｉｊｋを操作可能とする各アイコンを、ユーザが片手でも簡単に操作可能とする様に表示することができる。
より詳細には、表示制御部１０８は、メニュー又はアイコンを、表示部１０９の右下の一部の表示領域に円弧状に配列して表示させる。このことにより、例えば、ユーザは、ユーザの右手の手のひらで携帯電話機１００の右下の角を支えた状態で右手だけで（片手で）操作しても、携帯電話機１００の下側が支えられているので、表示部１０９が斜めに傾いたり、携帯電話機１００を下に落としたりする心配をしないで安心して操作することができる。また、ユーザが、この状態で操作した場合に、操作しやすい位置にメニュー又はアイコンが表示されることになる。
【０１２７】
〔第１の実施形態の変形例１〕
第１の実施形態では、携帯電話機１００で使用可能な各メニューに対応する各アイコンは、図４（ａ）に示す表示領域ＤＲ１内に表示される旨を説明した。第１の実施形態の変形例１では、当該各アイコンが表示される表示領域が図９（ａ）に示す表示領域ＤＲ２内である旨を説明する。なお、第１の実施形態の変形例１の携帯電話機の構成は、上述した第１の実施形態の携帯電話機１００と同様であるため、当該構成に関する説明は省略する。このため、第１の実施形態の変形例１の携帯電話機を、第１の実施形態の携帯電話機１００と同様に、「携帯電話機１００」と記載する。また、第１の実施形態の変形例１の携帯電話機１００の各部も、同様に第１の実施形態の携帯電話機１００の各部と同様に記載する。
【０１２８】
第１の実施形態では、上述した様に、携帯電話機１００のユーザが例えば右利きである場合に当該ユーザが片手で操作し易くなる様に、表示領域ＤＲ１が定められる。
【０１２９】
第１の実施形態の変形例１では、当該携帯電話機１００のユーザが例えば左利きである場合に当該ユーザが片手で操作し易くなる様に、表示領域ＤＲ２が定められる。
【０１３０】
また、表示部１０９における表示領域ＤＲ１又は表示領域ＤＲ２のいずれが定められるかは、ユーザの携帯電話機１００に対する操作に応じて設定される。例えば、ユーザが右利きである場合には、携帯電話機１００の設定画面等で表示領域ＤＲ１又は表示領域ＤＲ２のいずれかを設定する様に操作する。これにより、携帯電話機１００は、表示部１０９における表示領域ＤＲ１又は表示領域ＤＲ２を定めることができる。
【０１３１】
図９（ａ）において、表示部１０９の左下の端点を同図紙面原点（０，０）、当該原点から同図紙面右方向にｘ軸、及び同図紙面上方向にｙ軸を設けるとする。
【０１３２】
図９（ａ）において、座標（ｘ２，０）、座標（ｘ３，０）、座標（０，ｙ３）及び座標（０，ｙ２）で囲まれる領域は、携帯電話機１００により、各階層に属する各メニューに対応する各アイコンが円弧状に配列して表示される表示領域ＤＲ２である。なお、表示領域ＤＲ２は、表示部１０９の表示領域の全体ではなく、当該表示領域の一部であることが好ましい。これにより、ユーザは、例えば片手（左手）による操作を簡単に行うことができる。
【０１３３】
これらの各座標に関するデータは、当該携帯電話機１００の表示制御部１０８の動作において予め規定されていても良い。又は、これらの各座標に関するデータは記憶部１０７に記憶されても良く、当該表示制御部１０８は当該各アイコンを円弧状に配列して表示する際、当該各座標に関するデータを当該記憶部１０７から読み出して表示領域ＤＲ２を定めても良い。
【０１３４】
図９（ａ）において、座標（０，０）、座標（ｘ１，０）及び座標（０，ｙ１）で囲まれる中心領域ＣＣ２に対して上述した入力操作のうち例えばタップ操作が行われた場合、当該携帯電話機１００は、第１の実施形態と同様に、第１階層に属する各メニューＭｉに対応する各アイコンだけを円弧状に配列して表示する。
【０１３５】
従って、例えば第２階層に属する各メニューＭｉｊに対応する各アイコンが選択可能に表示されている場合に中心領域ＣＣ２に対してタップ操作が行われると、当該携帯電話機１００は、図９（ｂ）に示す様に、第１階層に属する各メニューＭｉに対応する各アイコンだけを選択可能に、円弧状に配列して表示する。なお、例えば第３階層に属する各メニューＭｉｊｋに対応する各アイコンが選択可能に表示されている場合に中心領域ＣＣ２に対してタップ操作が行われた場合についても同様である。
【０１３６】
なお、中心領域ＣＣ２の中で上述した入力操作のうち例えばタッチ操作又はスライド操作が行われた場合に、当該携帯電話機１００は、第１階層に属する各メニューに対応する各アイコンだけを選択可能に、円弧状に配列して表示しても良い。
【０１３７】
図９（ｂ）において、図９（ａ）に示す表示部１０９の表示領域ＤＲ２に相当する表示領域内に、第１階層に属する各メニューＭ１〜Ｍ５に対応する各アイコンＩＣ１〜ＩＣ５が選択可能に、円弧状に配列して表示されている。
【０１３８】
図９（ｂ）に示す様に、円弧状に配列して選択可能に表示される各アイコンは、当該各アイコンに対応する各メニューの各メニューＩＤが連続する様にして表示される。例えば図９（ｂ）には、メニューＩＤ「０１００００」のメニューＭ１、メニューＩＤ「０２００００」のメニューＭ２、メニューＩＤ「０３００００」のメニューＭ３、メニューＩＤ「０４００００」のメニューＭ４、及びメニューＩＤ「０５００００」のメニューＭ５の順番に、各メニューＩＤが連続する様にして表示されている。
【０１３９】
例えば、携帯電話機１００の電源ボタン１０２が押下された場合、制御部１０１は、第１階層に属するメニューＭ１〜Ｍ５に対応するアイコンＩＣ１〜ＩＣ５を円弧状に配列して表示する様に表示制御部１０８に指示する。表示制御部１０８は、制御部１０１からの指示に応じて、図９（ｂ）に示す様に、第１階層に属する各メニューＭ１〜Ｍ５に対応する各アイコンＩＣ１〜ＩＣ５を円弧状に配列して表示する。
【０１４０】
この様に、第１の実施形態の変形例１では、携帯電話機１００のユーザが例えば左利きである場合に当該ユーザが片手で操作し易くなる様に、表示制御部１０８は、各階層に属する各メニューに対応する各アイコンを表示するための表示領域ＤＲ２を定める。
より詳細には、表示制御部１０８は、メニュー又はアイコンを、表示部１０９の左下の一部の表示領域に円弧状に配列して表示させる。このことにより、例えば、ユーザは、ユーザの左手の手のひらで携帯電話機１００の左下の角を支えた状態で左手だけで（片手で）操作しても、携帯電話機１００の下側が支えられているので、表示部１０９が斜めに傾いたり、携帯電話機１００を下に落としたりする心配をしないで安心して操作することができる。また、ユーザが、この状態で操作した場合に、操作しやすい位置にメニュー又はアイコンが表示されることになる。
【０１４１】
〔第１の実施形態の変形例２〕
図１０は、第１の実施形態の変形例２の携帯電話機１００の表示部１０９における第１階層に属する各メニューＭｉに対応する各アイコンの回転スクロール時の動作を模式的に説明する説明図である。同図（ａ）は、回転スクロール前の第１階層に属する各メニューＭｉに対応する各アイコンが表示されている状況を示す説明図である。同図（ｂ）は、回転スクロール直後の各アイコンが表示されている状況を示す説明図である。同図（ｃ）は、各アイコンの回転スクロール時に表示されるスクロールサークルＳＣの概念を模式的に示す説明図である。
【０１４２】
なお、第１の実施形態の変形例２の携帯電話機の構成は、上述した第１の実施形態の携帯電話機１００と同様であるため、当該構成に関する説明は省略する。このため、第１の実施形態の変形例２の携帯電話機を、第１の実施形態の携帯電話機１００と同様に、「携帯電話機１００」と記載する。また、第１の実施形態の変形例２の携帯電話機１００の各部も、同様に第１の実施形態の携帯電話機１００の各部と同様に記載する。
【０１４３】
第１の実施形態では、上述した様に、第１階層に属する各メニューＭｉに対応する各アイコンを表示部１０９に表示する際、図１０（ａ）に示す様に、携帯電話機１００は、当該第１階層に属する各メニューＭｉに対応する各アイコンを選択可能に、円弧状に配列して表示する。
【０１４４】
第１の実施形態の変形例２では、携帯電話機１００は、図１０（ａ）に示す様に、第１の実施形態と同様に、第１階層に属する各メニューＭｉに対応する各アイコンを選択可能に、円弧状に配列して表示する。更に、当該携帯電話機１００の表示制御部１０８は、ユーザが当該表示された各アイコンのうちいずれかのアイコンをタッチ操作した状態でそのまま右上方向又は左下方向にスライド操作した場合に、図１０（ｂ）に示す様に、中心領域ＣＣ１（図４（ａ）参照）に所定の大きさを有するスクロールサークルＳＣを表示する。
【０１４５】
このスクロールサークルＳＣは、図１０（ｃ）に示す様に、例えば第１階層に属する各メニューＭｉに対応する各アイコンが１０個である場合に当該１０個の各アイコンが正十角形の各頂点を示す様に形成される。更に、スクロールサークルＳＣは、図１０（ｂ）に示す様に、表示部１０９に表示されている各アイコンの数に応じた部分が例えば白抜き状に表示される。これにより、ユーザは、当該スクロールサークルＳＣを参照することで、現在自己がタッチ操作したアイコンを含み表示部１０９に表示されている各アイコンの、同階層の全てのメニューに対応する全てのアイコンに対する割合を簡単に確認することができる。
【０１４６】
〔第２の実施形態〕
第２の実施形態の携帯電話機１００ａは、第１の実施形態の携帯電話機１００と同様に、当該携帯電話機１００ａで使用可能な各メニューに対応する各アイコンを、表示部において予め定められた所定の表示領域に表示する。更に、携帯電話機１００ａは、上述したいずれかの入力操作に応じた当該各アイコンの選択を可能とするために、当該所定の表示領域において当該各アイコンを円弧状に配列して表示する。
【０１４７】
また、携帯電話機１００ａは、上述した所定の表示領域外でユーザが左方向又は右方向にスライド操作した場合に、当該円弧状に配列して表示されている各アイコンの表示形態を、予め定められた複数の表示形態のうちいずれかの表示形態に切り替える。
【０１４８】
更に、携帯電話機１００ａは、表示部において予め定められた他の所定の表示領域に、所定の表示形態に関連付けられたインジケータを複数個表示する。第２の実施形態では、携帯電話機１００ａは、４つのインジケータを表示部の当該所定の表示領域に表示する。従って、第２の実施形態では、携帯電話機１００ａは、４つのインジケータＩＮ１、インジケータＩＮ２、インジケータＩＮ３及びインジケータＩＮ４に応じて、合計４つの表示形態のうちいずれかの表示形態に沿った画面を表示する。
【０１４９】
４．第２の実施形態の携帯電話機の構成に関する説明
図１１は、第２の実施形態の携帯電話機１００ａのハードウェア構成の一例を示すブロック図である。図１１に示す様に、携帯電話機１００ａは、制御部１０１ａ、電源ボタン１０２、電源回路部１０３、入力制御部１０４、タッチパネル１０５、通信部１０６、記憶部１０７、表示制御部１０８ａ、及び表示部１０９ａを備える。第１の実施形態の携帯電話機１００と同様の構成については、同様の参照符号が付されているため、当該同様の構成に関する説明は省略する。
【０１５０】
制御部１０１ａは、携帯電話機１００ａに内蔵されるＣＰＵ、ＤＳＰ、ＲＡＭ及びＲＯＭ等で構成され、携帯電話機１００ａの各部の動作を制御する。また、制御部１０１ａは、入力制御部１０４で検出された入力操作に応じて、表示部１０９ａに表示されたメニュー又はアイコンの選択を制御する。なお、制御部１０１ａの動作の詳細に関しては後述する。
【０１５１】
表示制御部１０８ａは、制御部１０１ａにより出力された指示に応じて、文字、画像、映像及びその組合せ等からなる画面を表示部１０９ａに表示する様に当該表示部１０９ａを制御する。なお、表示制御部１０８ａの動作の詳細に関しては後述する。
【０１５２】
表示部１０９ａは、例えば携帯電話機１００ａのＬＣＤにより構成され、表示制御部１０８ａの制御の下で、表示対象となる画面を表示する。
【０１５３】
５．第２の実施形態の携帯電話機の表示部に表示される各画面に関する説明
次に、第２の実施形態の携帯電話機１００ａの表示部１０９ａに表示される各画面について、図１２を参照して説明する。図１２は、第２の実施形態の携帯電話機１００ａにおける第１階層に属する各メニューＭｉに対応する各アイコンの表示形態の一例を示す説明図である。同図（ａ）は、インジケータＩＮ１に対応する表示形態の説明図である。同図（ｂ）は、インジケータＩＮ２に対応する表示形態の説明図である。同図（ｃ）は、インジケータＩＮ３に対応する表示形態の説明図である。同図（ｄ）は、インジケータＩＮ４に対応する表示形態の説明図である。
【０１５４】
図１２（ａ）において、表示領域ＤＲ３は、上述した４つのインジケータＩＮ１〜ＩＮ４が表示される領域である。表示制御部１０８ａは、当該４つのインジケータＩＮ１〜ＩＮ４を当該表示領域ＤＲ３に表示する。
【０１５５】
インジケータＩＮ１に対応する表示形態では、上述した第１の実施形態と同様に、図１２（ａ）に示す様に、例えば第１階層に属する各メニューＭ１〜Ｍ５に対応する各アイコンＩＣ１〜ＩＣ５が選択可能に、円弧状に配列して表示されている。また、インジケータＩＮ１に対応する表示形態では、インジケータＩＮ１は、図１２（ａ）に示す様に、当該インジケータＩＮ１が選択されていることを示すために網掛け表示されている。
【０１５６】
インジケータＩＮ２に対応する表示形態では、図１２（ｂ）に示す様に、例えば第１階層に属する各メニューＭ１〜Ｍ１０に対応する各アイコンＩＣ１〜ＩＣ１０が当該メニューの順番に従って同図紙面下から順番にマトリックス状に配列して、所定の表示領域ＤＲ５に選択可能に表示されている。特に当該表示領域ＤＲ５内の表示領域ＤＲ４内には、当該アイコンＩＣ１〜ＩＣ１０のうち例えばアイコンＩＣ１〜ＩＣ４が固定的にマトリックス状に配列して選択可能に表示されている。この表示領域ＤＲ４に表示されるアイコンは、ユーザの設定操作によって任意に選択可能である。
【０１５７】
更に、表示領域ＤＲ４及び表示領域ＤＲ５の各範囲を定める表示部１０９ａ上の各座標に関するデータは、表示制御部１０８ａの動作において予め規定されていても良い。又は、これらの各座標に関するデータは記憶部１０７に記憶されても良く、表示制御部１０８ａはインジケータＩＮ２に対応する表示形態で表示する際、当該各座標に関するデータを記憶部１０７から読み出して表示領域ＤＲ４及び表示領域ＤＲ５をそれぞれ定めても良い。また、インジケータＩＮ２に対応する表示形態では、インジケータＩＮ２は、図１２（ｂ）に示す様に、当該インジケータＩＮ２が選択されていることを示すために網掛け表示されている。
【０１５８】
インジケータＩＮ３に対応する表示形態では、図１２（ｃ）に示す様に、例えば第１階層に属する各メニューＭ１〜Ｍ１０に対応する各アイコンＩＣ１〜ＩＣ１０のうち、例えばアイコン各ＩＣ１〜ＩＣ４だけが当該メニューの順番に従って同図紙面下から順番にマトリックス状に配列して、所定の表示領域ＤＲ４に選択可能に表示されている。この表示領域ＤＲ４に表示されるアイコンは、ユーザの設定操作によって任意に選択可能である。
【０１５９】
更に、表示領域ＤＲ４を定める表示部１０９ａ上の各座標に関するデータは、表示制御部１０８ａの動作において予め規定されていても良い。又は、これらの各座標に関するデータは記憶部１０７に記憶されても良く、表示制御部１０８ａはインジケータＩＮ３に対応する表示形態で表示する際、当該各座標に関するデータを記憶部１０７から読み出して表示領域ＤＲ４を定めても良い。また、インジケータＩＮ３に対応する表示形態では、インジケータＩＮ３は、図１２（ｃ）に示す様に、当該インジケータＩＮ３が選択されていることを示すために網掛け表示されている。
【０１６０】
インジケータＩＮ４に対応する表示形態では、図１２（ｄ）に示す様に、例えば第１階層に属する各メニューＭ１〜Ｍ１０に対応する各アイコンＩＣ１〜ＩＣ１０のうち、例えば各アイコンＩＣ１〜ＩＣ４は当該メニューの順番に従って同図紙面下から順番にマトリックス状に配列して、所定の表示領域ＤＲ４に選択可能に表示されている。更に、当該表示領域ＤＲ４に表示されない他のアイコンＩＣ５〜ＩＣ１０は、当該各アイコンに対応するメニューの使用頻度又は最近使用したものに応じて、マトリックス状に配列して表示領域ＤＲ５内に選択可能に表示されている。なお、この表示領域ＤＲ４に表示されるアイコンは、ユーザの設定操作によって任意に選択可能である。
【０１６１】
更に、表示領域ＤＲ４及び表示領域ＤＲ５を定める表示部１０９ａ上の各座標に関するデータは、表示制御部１０８ａの動作において予め規定されていても良い。又は、これらの各座標に関するデータは記憶部１０７に記憶されても良く、表示制御部１０８ａはインジケータＩＮ４に対応する表示形態で表示する際、当該各座標に関するデータを記憶部１０７から読み出して表示領域ＤＲ４及び表示領域ＤＲ５をそれぞれ定めても良い。また、インジケータＩＮ４に対応する表示形態では、インジケータＩＮ４は、図１２（ｄ）に示す様に、当該インジケータＩＮ４が選択されていることを示すために網掛け表示されている。
【０１６２】
また、上述した図１２（ａ）〜（ｄ）の各表示形態の遷移に関しては、例えば次の２つの方法が適用可能である。例えば、上述した様に、ユーザが所望のインジケータＩＮを直接タッチ操作することで、表示制御部１０８ａが当該タッチ操作されたインジケータＩＮに対応する表示形態に切り替えるという方法である。このため、例えばインジケータＩＮ１に対応する表示形態で表示されている場合にユーザがインジケータＩＮ３上を直接タッチ操作することで、表示制御部１０８ａは、当該インジケータＩＮ３に対応する表示形態で表示することが可能である。これにより、携帯電話機１００ａは、ユーザの片手で操作する場合における操作性をより高めることができる。
【０１６３】
もう１つは、例えば図１２（ａ）に示すインジケータＩＮ１に対応する表示形態で表示されている場合にユーザが上述した表示領域ＤＲ１外で右方向にスライド操作した場合、当該スライド操作に応じて、表示制御部１０８ａは、インジケータＩＮ２に対応する表示形態に切り替えるという方法である。特にインジケータＩＮのタッチ操作によらずこの様なスライド操作で表示形態を切り替える場合には、当該切り替え直前におけるインジケータＩＮの表示形態を起点に、それぞれ隣接するインジケータＩＮの表示形態にのみ切り替えることが可能であることが好ましい。例えば、現在使用されている表示形態のインジケータＩＮがインジケータＩＮ２である場合には、左方向のスライド操作に応じてインジケータＩＮ１に対応する表示形態に切り替えされ、右方向のスライド操作に応じてインジケータＩＮ３に対応する表示形態に切り替えられる。
【０１６４】
６．第２の実施形態の携帯電話機の動作に関する説明
図１３は、第２の実施形態の携帯電話機１００ａの動作を説明するフローチャートである。以下の図１３に示すフローチャートの説明においては、具体例を説明するために必要に応じて図１２を参照する。また、図１３に示すフローチャートの説明の前提として、携帯電話機１００ａの電源はＯＮ状態であり、第１階層〜第３階層のうちいずれかの階層に属する各メニューに対応する各アイコンが選択可能に円弧状に配列して表示されているとする。即ち、インジケータＩＮ１に対応する表示形態で各アイコンが表示されているとする。
【０１６５】
図１３において、第１階層、第２階層及び第３階層のうちいずれかの階層に属する各メニューに対応する各アイコンが選択可能に円弧状に配列して表示されている場合に（Ｓ３１〜Ｓ３３、ＹＥＳ）、上述したインジケータＩＮ２〜ＩＮ４のうちいずれかのインジケータＩＮｎが選択されたとする（Ｓ３４、ＹＥＳ）。なお、パラメータｎは、ｎ＝２〜４の自然数である。表示制御部１０８ａは、ステップＳ３４の選択直前における各アイコンの表示形態を、当該ステップＳ３４で選択されたインジケータＩＮｎに対応する各アイコンの表示形態に切り替える（Ｓ３５）。
【０１６６】
また、当該インジケータＩＮｎに対応する表示形態の状態で他のインジケータＩＮｍが選択されたとする（Ｓ３６、ＹＥＳ）。なお、パラメータｍは、ｍ＝２〜４の自然数であって上述したパラメータｎとは異なる。表示制御部１０８ａは、ステップＳ３６の選択直前におけるインジケータＩＮｎに対応する各アイコンの表示形態を、当該ステップＳ３６で選択されたインジケータＩＮｍに対応する各アイコンの表示形態に切り替える（Ｓ３７）。
【０１６７】
一方、ステップＳ３４においてインジケータＩＮｎの選択がされず（Ｓ３４、ＮＯ）、ユーザが表示領域ＤＲ１外で右方向にスライド操作した場合には（Ｓ３８、ＹＥＳ）、表示制御部１０８ａは、現在使用されているインジケータＩＮ１に隣接するインジケータＩＮ２に対応する表示形態で各アイコンを表示する（Ｓ３９、図１２（ｂ）参照）。
【０１６８】
ステップＳ３９の後にユーザが右方向にスライド操作した場合には（Ｓ４０、右）、表示制御部１０８ａは、ステップＳ３９で切り替えられたインジケータＩＮ２に隣接するインジケータＩＮ３に対応する表示形態で各アイコンを表示する（Ｓ４１、図１２（ｃ）参照）。
【０１６９】
ステップＳ３９の後にユーザが左方向にスライド操作した場合には（Ｓ４０、左）、表示制御部１０８ａは、ステップＳ３９で切り替えられたインジケータＩＮ２に隣接するインジケータＩＮ１に対応する表示形態で各アイコンを表示する（Ｓ４２、図１２（ａ）参照）。
【０１７０】
ステップＳ４１の後にユーザが右方向にスライド操作した場合には（Ｓ４３、右）、表示制御部１０８ａは、ステップＳ４１で切り替えられたインジケータＩＮ３に隣接するインジケータＩＮ４に対応する表示形態で各アイコンを表示する（Ｓ４４、図１２（ｄ）参照）。
【０１７１】
ステップＳ４１の後にユーザが左方向にスライド操作した場合には（Ｓ４３、左）、表示制御部１０８ａは、ステップＳ４１で切り替えられたインジケータＩＮ３に隣接するインジケータＩＮ２に対応する表示形態で各アイコンを表示する（Ｓ３９、図１２（ｂ）参照）。
【０１７２】
ステップＳ４４の後にユーザが左方向にスライド操作した場合には（Ｓ４５、左）、表示制御部１０８ａは、ステップＳ４４で切り替えられたインジケータＩＮ４に隣接するインジケータＩＮ３に対応する表示形態で各アイコンを表示する（Ｓ４１、図１２（ｃ）参照）。
【０１７３】
以上により、第２の実施形態の携帯電話機１００ａによれば、第１の実施形態の携帯電話機１００の効果に加え、ユーザの簡単な左方向若しくは右方向のスライド操作、又は所定のインジケータＩＮを直接タッチ操作することで、ユーザ所望の各アイコンの表示形態に切り替えることができる。これにより、ユーザが片手で当該携帯電話機１００ａを操作する場合における操作性をより高めることができる。
【０１７４】
以上、図面を参照しながら各種の実施形態について説明したが、本発明はかかる例に限定されないことは言うまでもない。当業者であれば、特許請求の範囲に記載された範疇内において、各種実施形態の変更例または修正例、更に各種実施形態の組み合わせ例に想到し得ることは明らかであり、それらについても当然に本発明の技術的範囲に属するものと了解される。
【０１７５】
例えば、図６（ａ）に示した様に、第１階層に属するメニューの中に「ＡＬＬ」というアイコンが表示されているとする。表示制御部１０８は、ユーザが当該アイコン「ＡＬＬ」をタッチ操作して選択した場合に、当該第１階層の下位の第２階層に属する全てのメニューのうち上述した所定数の各メニューに対応する各アイコンを選択可能に、円弧状に配列して表示しても良い。この場合、当該円弧状に配列して表示された各アイコンがユーザによりタッチ操作された状態でそのまま当該円弧状に沿って回転する様にスライドされた場合には、表示制御部１０８は、当該第２階層に属する全てのメニューに対応する全てのアイコンを選択可能に回転スクロールすることが好ましい。
【０１７６】
なお、上述した「ＡＬＬ」というアイコンは、第１階層に属するメニューの中にだけ表示されるのではなく、第２階層に属するメニューの中に表示されても良い。この場合には、当該第２階層に属するメニューの中にある「ＡＬＬ」というアイコンがタッチ操作されると、表示制御部１０８は、同様にして、第３階層に属する全てのメニューに対応する全てのアイコンのうち上述した所定数のメニューに対応する各アイコンを選択可能に、円弧状に配列して表示する。
【産業上の利用可能性】
【０１７７】
本発明は、上位又は下位の階層構造を有する複数のメニュー又は当該各メニューを操作可能とするアイコンを、ユーザが片手でも簡単に操作可能とする様に表示することが可能な携帯端末装置、表示制御方法及び表示制御プログラムとして有用である。
【符号の説明】
【０１７８】
１００、１００ａ  携帯電話機
１０１、１０１ａ  制御部
１０２  電源ボタン
１０３  電源回路部
１０４  入力制御部
１０５  タッチパネル
１０６  通信部
１０６ａ  アンテナ
１０７  記憶部
１０８、１０８ａ  表示制御部
１０９、１０９ａ  表示部
ＡＬ１〜ＡＬ３  補助線
ＣＣ１、ＣＣ２  中心領域
ＤＲ１〜ＤＲ５  表示領域
ＩＣ１〜ＩＣ５、ＩＣ９、ＩＣ１０、ＩＣ３１３〜ＩＣ３１７、ＩＣ３１５３６〜ＩＣ３１５４０  アイコン
Ｍｉ、Ｍｉｊ、Ｍｉｊｋ  メニュー
ＭＨ  メニュー階層情報
ＳＣ  スクロールサークル
【図１】
0005334330.tif 000010
【図２】
0005334330.tif 000011
【図３】
0005334330.tif 000012
【図４】
0005334330.tif 000013
【図５】
0005334330.tif 000014
【図６】
0005334330.tif 000015
【図７】
0005334330.tif 000016
【図８】
0005334330.tif 000017
【図９】
0005334330.tif 000018
【図１０】
0005334330.tif 000019
【図１１】
0005334330.tif 000020
【図１２】
0005334330.tif 000021
【図１３】
0005334330.tif 000022